(57)【要約】【課題】天端レベル管理具本体にねじ込まれたレベル設定用棒材の高さ調整作業の負担を軽減することが可能なレベル設定用棒材の回転用工具の提供。【解決手段】中空筒状の支持部１０と、支持部１０の中空筒状内に支持されて回転可能な回転体１１であり、一端部にレベル設定用棒材に引っ掛ける引掛部１３を、他端部に回転工具を嵌合して当該回転工具により回転させる回転操作部１４を有する回転体１１とを有する回転用工具１であり、中空筒状の支持部１０を把持し、回転体１１の一端部の引掛部１３をレベル設定用棒材に引っ掛け、他端部の回転操作部１４に回転工具を嵌合して当該回転工具により回転させると、支持部１０内の中空筒状内に支持された回転体１１を介してレベル設定用棒材が回転し、レベル設定用棒材の高さ調整作業を行うことが可能となる。【選択図】図１
2019002167.tif 000002
【特許請求の範囲】
【請求項１】
天端レベル管理具本体にねじ込まれたレベル設定用棒材の高さ調整のための回転用工具であって、
中空筒状の支持部と、
前記支持部の中空筒状内に支持されて回転可能な回転体であり、一端部に前記レベル設定用棒材に引っ掛ける引掛部を、他端部に回転工具を嵌合して当該回転工具により回転させる回転操作部を有する回転体と
を有するレベル設定用棒材の回転用工具。
【請求項２】
前記引掛部は、前記レベル設定用棒材の上端部が挿入される穴部を有する請求項１記載のレベル設定用棒材の回転用工具。
【請求項３】
前記回転工具は、電気または圧縮空気を動力源として回転する工具である請求項１または２に記載のレベル設定用棒材の回転用工具。
【請求項４】
前記回転操作部は、前記回転工具を嵌合可能な凸部または凹部を有する請求項１から３のいずれか１項に記載のレベル設定用棒材の回転用工具。
【請求項５】
前記支持部にレーザー受光器を有する請求項１から４のいずれか１項に記載のレベル設定用棒材の回転用工具。
【請求項６】
前記回転体の長さは、３０〜１００ｃｍである請求項１から５のいずれか１項に記載のレベル設定用棒材の回転用工具。
【発明の詳細な説明】
【技術分野】
【０００１】
本発明は、建築物のコンクリート基礎の天端レベルの設定に用いられる天端レベル管理具において、天端レベル管理具本体にねじ込まれたレベル設定用棒材の高さ調整の際に用いられるレベル設定用棒材の回転用工具に関する。
【背景技術】
【０００２】
従来、コンクリート基礎の現場打ち工法においては、まず、型枠内に異形棒鋼を用いて配筋し、コンクリートを打設した後、さらにその天端面にレベラーを流し込んで、基礎コンクリート全体の天端を均一な面にすることが行われている。このレベラーを流し込むときの上面の目印として、例えば特許文献１，２の天端レベル管理具が用いられる。
【先行技術文献】
【特許文献】
【０００３】
【特許文献１】特許第３６４９７２４号公報
【特許文献２】特許第６１１３８７５号公報
【発明の概要】
【発明が解決しようとする課題】
【０００４】
ところで、これらの天端レベル管理具を使用する際には、まず、レベル設定用棒材がねじ込まれた天端レベル管理具本体を鉄筋に取り付けた後、レベル設定用棒材を回転させて高さ調整を行うが、このレベル設定用棒材の取り付け位置は作業者の膝から腰の辺りの高さであるため、作業者は腰を折り曲げた状態を維持したまま高さ調整作業を行うことになり、腰への負担が大きい。
【０００５】
特に、特許文献１に記載の天端レベル管理具は、天端レベル管理具本体を縦筋に対して取り付けるため、この天端レベル管理具本体の上下の取り付け位置を調整することで、レベル設定用棒材の調整量を少なくすることができるが、特許文献２に記載の天端レベル管理具は、天端レベル管理具本体を横筋に対して取り付けるため、天端レベル管理具本体の上下の取り付け位置を調整することができず、レベル設定用棒材の調整量が多くなり、高さ調整作業に時間を要するため、腰への負担はさらに大きなものとなる。
【０００６】
そこで、本発明においては、天端レベル管理具本体にねじ込まれたレベル設定用棒材の高さ調整作業の負担を軽減することが可能なレベル設定用棒材の回転用工具を提供することを目的とする。
【課題を解決するための手段】
【０００７】
本発明のレベル設定用棒材の回転用工具は、天端レベル管理具本体にねじ込まれたレベル設定用棒材の高さ調整のための回転用工具であって、中空筒状の支持部と、支持部の中空筒状内に支持されて回転可能な回転体であり、一端部にレベル設定用棒材に引っ掛ける引掛部を、他端部に回転工具を嵌合して当該回転工具により回転させる回転操作部を有する回転体とを有するものである。
【０００８】
本発明の回転用工具によれば、中空筒状の支持部を把持し、回転体の一端部の引掛部を天端レベル管理具本体にねじ込まれたレベル設定用棒材に引っ掛け、他端部の回転操作部に回転工具を嵌合して当該回転工具により回転させると、支持部内の中空筒状内に支持された回転体を介してレベル設定用棒材が回転し、レベル設定用棒材の高さ調整作業を容易に行うことが可能となる。
【０００９】
ここで、引掛部は、レベル設定用棒材の上端部が挿入される穴部を有することが望ましい。これにより、レベル設定用棒材の上端部が穴部内に挿入されるようにして、引掛部をレベル設定用棒材に引っ掛けると、レベル設定用棒材の上端部が穴部によって支持されるため、回転用工具を回転させる際に安定し、レベル設定用棒材の高さ調査作業をより容易に行うことが可能となる。
【００１０】
また、回転操作部は、回転工具を嵌合可能な凸部または凹部を有する構成であることが望ましい。これにより、回転工具の先端部の凹部または凸部をそれぞれ回転操作部の凸部または凹部に嵌合させて回転させることで、容易に回転操作部を回転させ、レベル設定用棒材の高さ調整作業を行うことが可能となる。
【００１１】
また、本発明のレベル設定用棒材の回転用工具は、支持部にレーザー受光器を有するものであることが望ましい。これにより、支持部のレーザー受光器にレーザー光を当てることで、レベル設定用棒材のレベルを確認しながら高さ調整作業を行うことが可能となる。
【発明の効果】
【００１２】
（１）中空筒状の支持部と、支持部の中空筒状内に支持されて回転可能な回転体であり、一端部にレベル設定用棒材に引っ掛ける引掛部を、他端部に回転工具を嵌合して当該回転工具により回転させる回転操作部を有する回転体とを有する回転用工具によれば、支持部を把持し、回転操作部に回転工具を嵌合して回転させることにより、レベル設定用棒材の高さ調整作業を容易に行うことが可能となり、腰の負担を軽減することが可能となる。
【００１３】
（２）引掛部にレベル設定用棒材の上端部が挿入される穴部を有することにより、レベル設定用棒材の上端部が穴部によって支持され、回転用工具を回転させる際に安定するので、レベル設定用棒材の高さ調査作業をより容易に行うことが可能となる。
【００１４】
（３）支持部にレーザー受光器を有することにより、支持部のレーザー受光器にレーザー光を当てることで、レベル設定用棒材のレベルを確認しながら高さ調整作業を行うことが可能となる。
【図面の簡単な説明】
【００１５】
【図１】本発明の実施の形態におけるレベル設定用棒材の回転用工具の正面図である。
【図２】図１の平面図である。
【図３】図１の底面図である。
【図４】図１のＩＶ−ＩＶ線端面図である。
【図５】図１の回転用工具の使用状態における下端部の部分拡大斜視図である。
【図６】図１の回転用工具の使用状態における上端部の部分拡大正面図である。
【図７】回転用工具の引掛部の別の実施形態を示す部分正面図である。
【図８】図７の底面図である。
【図９】図７の回転工具を使用状態における下端部の部分拡大図である。
【発明を実施するための形態】
【００１６】
図１は本発明の実施の形態におけるレベル設定用棒材の回転用工具の正面図、図２は図１の平面図、図３は図１の底面図、図４は図１のＩＶ−ＩＶ線端面図、図５は図１の回転用工具の使用状態における下端部の部分拡大斜視図、図６は図１の回転用工具の使用状態における上端部の部分拡大正面図である。
【００１７】
図１に示すように、本発明の実施の形態における回転用工具１は、中空筒状の支持部１０と、支持部１０の中空筒状内に支持されて回転可能な回転体１１とを有する。支持部１０は、例えばアルミニウム合金製の等辺角管（角パイプ）から構成される。回転体１１は、支持部１０の中空筒状内で回転する胴部１２と、胴部１２の一端部である下端部に設けられた引掛部１３と、胴部１２の他端部である上端部に設けられた回転操作部１４とを有する。なお、引掛部１３および回転操作部１４と支持部１０との間には、それぞれワッシャー１５が設けられている。
【００１８】
胴部１２は、例えばアルミニウム合金製の丸管（丸パイプ）から構成される。引掛部１３は、図５に示すようにレベル設定用棒材３の上部の拡径部３１の間に引っ掛かるように、円柱状の引掛部本体１３Ａの下端部に所定間隔で一対の柱状部１３Ｂを設けたものである。回転操作部１４は、図６に示すように回転工具４を嵌合して当該回転工具４により回転させることができるように、多角形状のノブ部１４Ａの上端部に回転工具４を嵌合可能な凸部としての六角ナット部１４Ｂを設けたものである。
【００１９】
回転工具４としては、電気または圧縮空気を動力源として回転するインパクトレンチなどの市販の動力工具を使用することが可能である。この回転工具４の先端には、六角ナット部１４Ｂに嵌合可能なサイズの六角ソケット５が装着される。
【００２０】
上記構成の回転用工具１は、図５に示すように、天端レベル管理具本体２にねじ込まれたレベル設定用棒材３の高さ調整のために使用される。天端レベル管理具本体２およびレベル設定用棒材３は、表面に凹凸の突起を有する異形棒鋼を用いて型枠内に配筋し、コンクリートを打設した後、さらにその天端面にレベラーを流し込んで基礎天端を形成するときの天端レベルを設定する治工具としての天端レベル管理具である。
【００２１】
レベル設定用棒材３は、天端レベル管理具本体２に保持されて天端レベルの目印とするものである。レベル設定用棒材３は、丸棒状に形成され、上端３０をレベラーを流し込んで基礎天端を形成するときの天端レベルの目印とするものである。また、レベル設定用棒材３の上端から予定距離、例えば１０ｍｍだけ下がった位置には、レベル設定用棒材３から両側に拡がる鱗状の拡径部３１が設けられている。拡径部３１の上面は、レベラーを流す前に打設するコンクリートの上端レベルの目印となる。レベル設定用棒材３の下部には、螺旋状の溝部３２が形成されている。
【００２２】
天端レベル管理具本体２は、それぞれ異形棒鋼からなる横筋Ｒ１および縦筋Ｒ２を十字に交差させた配筋の交差部に取り付けられる。天端レベル管理具本体２は、レベル設定用棒材３の上下位置を調整して保持可能な保持部２０と、横筋Ｒ１に取り付けられる横筋取付部２１と、縦筋Ｒ２に当接して縦筋Ｒ２を横筋Ｒ１側へ押さえる縦筋押え部２２と備える。
【００２３】
保持部２０は、上下方向のスリット１０ａを有する断面Ｃ字形の略円筒状に形成されている。保持部２０の内径は、レベル設定用棒材３の溝部３２が形成された下部外周に当接して保持可能な程度の大きさに設定されている。また、保持部２０の内側の上端部には、レベル設定用棒材３の溝部３２に嵌入する突起部（図示せず。）を有する。レベル設定用棒材３は、この突起部が溝部３２に嵌入することによって、ねじのように右回転または左回転させることができ、例えば１回転につき上下に３．０〜３．５ｍｍ移動する。なお、天端レベル管理具本体２は、予め保持部２０にレベル設定用棒材３がねじ込まれた状態で配筋に取り付けられる。
【００２４】
回転用工具１の使用の際は、図５に示すように、引掛部１３の下端部の一対の柱状部１３Ｂを、レベル設定用棒材３の拡径部３１の間に引っ掛けて引掛部本体１３Ａの底面１３Ｃをレベル設定用棒材３の上端３０に当接させ、支持部１０を片手で把持した状態で、図６に示すように回転工具４の先端の六角ソケット５を回転操作部１４の上端部の六角ナット部１４Ｂに嵌合し、回転工具４を動作させる。これにより、支持部１０内に支持された回転体１１を介してレベル設定用棒材３が右回転または左回転し、レベル設定用棒材３の高さ調整作業を行うことができる。
【００２５】
また、本実施形態における回転用工具１では、図１に示すように支持部１０にレーザー受光器６を固定しておくことで、このレーザー受光器６に対してレーザー光を当てることで、レベル設定用棒材３の上端３０または拡径部３１の上面のレベルを確認しながら、高さ調整作業を行うことが可能である。すなわち、従来はレベル確認の度にレーザー受光器６を固定した測定棒を当て直して測定することが必要であったが、本実施形態における回転用工具１ではレーザー受光器６で測定しながらレベル設定用棒材３を回転させて高さ調整作業を容易に行うことが可能となっている。
【００２６】
また、図７および図８に示すように、回転用工具１の引掛部本体１３Ａの底面１３Ｃ側に、レベル設定用棒材３の上端部が挿入される穴部１３Ｄを設けた構成とすることも可能である。穴部１３Ｄはレベル設定用棒材３の拡径部３１より上の部分が全て収容される大きさとする。これにより、図９に示すように、回転用工具１の使用の際、引掛部本体１３Ａの底面１３Ｃが拡径部３１の上面に当接するようになり、レベル設定用棒材３の上端部が穴部１３Ｄによって支持され、回転用工具１を回転させる際に安定するので、レベル設定用棒材３の高さ調査作業をより容易に行うことが可能となる。
【００２７】
なお、レベル設定用棒材３の取り付け位置は通常、作業者の膝から腰の辺りの高さであるため、作業者の腰の負担を軽減するためには、回転体１１の長さＬを３０〜１００ｃｍとすることが好ましい。また、本実施形態における回転用工具１は、多角形状のノブ部１４Ａを直接把持して回転させることも可能である。
【００２８】
また、回転工具４の先端には、六角ソケット５に代えてヘキサゴンソケットなどを装着することも可能であるため、回転操作部１４の六角ナット部１４Ｂに代えてヘキサゴンソケットを嵌合可能な凹部としての六角穴を設けた構成とすることも可能である。また、回転工具４として電動ドライバーを使用する場合には、その電動ドライバーの先端部形状に応じて、回転操作部１４の上端部に十字穴、一文字や六角星型等の凹部を設けた構成とすることも可能である。要するに、回転操作部１４の上端部には、回転工具４を嵌合して回転させることが可能な凹部や凸部等を備えた構成であれば良い。また、回転工具４として特殊な先端形状を有する専用工具を使用することも可能であり、その場合にはその先端形状に対応した特殊な形状の凹部や凸部等を備えた構成とすれば良い。
【産業上の利用可能性】
【００２９】
本発明は、建築物のコンクリート基礎の天端レベルの設定に用いられるレベル設定用棒材の回転用工具として有用である。
【符号の説明】
【００３０】
１  回転用工具
２  天端レベル管理具本体
２０  保持部
２１  横筋取付部
２２  縦筋押え部
３  レベル設定用棒材
３１  拡径部
３２  溝部
４  回転工具
５  六角ソケット
１０  支持部
１１  回転体
１２  胴部
１３  引掛部
１３Ａ  引掛部本体
１３B  柱状部
１４  回転操作部
１４Ａ  ノブ部
１４Ｂ  六角ナット部
１５  ワッシャー
【図１】
2019002167.tif 000003
【図２】
2019002167.tif 000004
【図３】
2019002167.tif 000005
【図４】
2019002167.tif 000006
【図５】
2019002167.tif 000007
【図６】
2019002167.tif 000008
【図７】
2019002167.tif 000009
【図８】
2019002167.tif 000010
【図９】
2019002167.tif 000011